(57)【特許請求の範囲】
【請求項１】
データの記録を担う複数のセクタフィールドを備え、所定数のセクタフィールドの集まりによりブロックが定義された情報記録媒体であって、
各セクタフィールドが、データＩＤエリア、データＩＤエラーコードエリア、ユーザデータエリアを有し、
前記データＩＤエリアは、識別情報エリアを有し、
所定のセクタフィールドの前記ユーザデータエリアに対してエラー訂正コードが付与された第１の種別のデータが記録されるとき、この所定のセクタフィールドの前記データＩＤエリアの前記識別情報エリアは第１の識別情報を格納し、この所定のセクタフィールドの前記ユーザデータエリアに対して交替記録が禁止され且つエラー訂正コードが付与された第２の種別のデータが記録されるとき、この所定のセクタフィールドの前記データＩＤエリアの前記識別情報エリアは第２の識別情報を格納する、
ことを特徴とする情報記録媒体。
【請求項２】
データの記録を担う複数のセクタフィールドを備え、所定数のセクタフィールドの集まりによりブロックが定義された情報記録媒体であって、
各セクタフィールドが、データＩＤエリア、データＩＤエラーコードエリア、ユーザデータエリアを有し、
前記データＩＤエリアは、識別情報エリアを有し、
所定のブロックに含まれる各セクタフィールドの前記ユーザデータエリアに対してエラー訂正コードが付与された第１の種別のデータが記録されるとき、この所定のブロックに含まれる各セクタフィールドの前記データＩＤエリアの前記識別情報エリアは第１の識別情報を格納し、この所定のブロックに含まれる各セクタフィールドの前記ユーザデータエリアに対して交替記録が禁止され且つエラー訂正コードが付与された第２の種別のデータが記録されるとき、この所定のブロックに含まれる各セクタフィールドの前記データＩＤエリアの前記識別情報エリアは第２の識別情報を格納する、
ことを特徴とする情報記録媒体。
【請求項３】
データの記録を担う複数のセクタフィールドを備え、所定数のセクタフィールドの集まりによりブロックが定義され、このブロックに記録されるユーザデータに対してエラー訂正コードが付与される情報記録媒体であって、
各セクタフィールドが、データＩＤエリア、データＩＤエラーコードエリア、ユーザデータエリアを有し、
前記データＩＤエリア及び前記データＩＤエラーコードエリアは、前記エラー訂正コードによるエラー訂正処理に関係なく独立して再生可能なエリアであり、
前記データＩＤエリアは、識別情報エリアを有し、
所定のセクタフィールドの前記ユーザデータエリアに対してエラー訂正コードが付与された第１の種別のデータが記録されるとき、この所定のセクタフィールドの前記データＩＤエリアの前記識別情報エリアは第１の識別情報を格納し、この所定のセクタフィールドの前記ユーザデータエリアに対して交替記録が禁止され且つエラー訂正コードが付与された第２の種別のデータが記録されるとき、この所定のセクタフィールドの前記データＩＤエリアの前記識別情報エリアは第２の識別情報を格納する、
ことを特徴とする情報記録媒体。
【請求項４】
ユーザデータの記録を担うレコーディングフィールド、及びアドレスデータの記録を担うヘッダフィールドを含むセクタフィールドを備え、所定数のセクタフィールドの集まりによりブロックが定義された情報記録媒体であって、
前記ブロックに対してＥＣＣブロックデータを記録するとき、前記ブロックに含まれる所定数のレコーディングフィールドに対して前記ＥＣＣブロックデータに基づき生成された所定数のセクタデータが一対一で対応して記録され、
前記ＥＣＣブロックデータは、ブロックデータ、第１のエラー訂正コード、及び第２のエラー訂正コードを含み、
前記ブロックデータは、第１の方向及びこの第１の方向に対して直交する第２の方向に沿って配置された所定データを含み、
前記第１のエラー訂正コードは、前記第１の方向に沿って配置された前記所定データを訂正し、
前記第２のエラー訂正コードは、前記第２の方向に沿って配置された前記所定データを訂正し、
前記セクタデータは、所定数に分割された前記ブロックデータのうちの一部、このブロックデータの一部に対応した第１のエラー訂正コードの一部、及び所定数に分割された第２のエラー訂正コードの一部を含み、
前記セクタフィールドに含まれたレコーディングフィールドが、データＩＤエリア、データＩＤエラーコードエリア、ユーザデータエリアを有し、
前記データＩＤエリア及び前記データＩＤエラーコードエリアは、前記第１及び第２のエラー訂正コードによるエラー訂正処理に関係なく独立して再生可能なエリアであり、
所定のブロックに含まれる各セクタフィールドの前記ユーザデータエリアに対して第１の種別の前記セクタデータが記録されるとき、この所定のブロックに含まれる各セクタフィールドの前記データＩＤエリアの前記識別情報エリアは第１の識別情報を格納し、この所定のブロックに含まれる各セクタフィールドの前記ユーザデータエリアに対して交替記録が禁止された第２の種別の前記セクタデータが記録されるとき、この所定のブロックに含まれる各セクタフィールドの前記データＩＤエリアの前記識別情報エリアは第２の識別情報を格納する、
ことを特徴とする情報記録媒体。
【請求項５】
データの記録を担う複数のセクタフィールドを備え、各セクタフィールドがデータＩＤエリア、データＩＤエラーコードエリア、ユーザデータエリアを有し、前記データＩＤエリアは識別情報エリアを有し、所定数のセクタフィールドの集まりによりブロックが定義された情報記録媒体に対して情報を記録する情報記録装置であって、
所定のセクタフィールドの前記ユーザデータエリアに対してエラー訂正コードが付与された第１の種別のデータを記録するとき、この所定のセクタフィールドの前記データＩＤエリアの前記識別情報エリアに第１の識別情報を記録し、この所定のセクタフィールドの前記ユーザデータエリアに対して交替記録が禁止され且つエラー訂正コードが付与された第２の種別のデータを記録するとき、この所定のセクタフィールドの前記データＩＤエリアの前記識別情報エリアに第２の識別情報を記録する記録手段を備えたことを特徴とする情報記録装置。
【請求項６】
データの記録を担う複数のセクタフィールドを備え、各セクタフィールドがデータＩＤエリア、データＩＤエラーコードエリア、ユーザデータエリアを有し、前記データＩＤエリアは識別情報エリアを有し、所定数のセクタフィールドの集まりによりブロックが定義された情報記録媒体に対して情報を記録する情報記録装置であって、
所定のブロックに含まれる各セクタフィールドの前記ユーザデータエリアに対してエラー訂正コードが付与された第１の種別のデータを記録するとき、この所定のブロックに含まれる各セクタフィールドの前記データＩＤエリアの前記識別情報エリアに第１の識別情報を記録し、この所定のブロックに含まれる各セクタフィールドの前記ユーザデータエリアに対して交替記録が禁止され且つエラー訂正コードが付与された第２の種別のデータを記録するとき、この所定のブロックに含まれる各セクタフィールドの前記データＩＤエリアの前記識別情報エリアに第２の識別情報を記録する記録手段を備えたことを特徴とする情報記録装置。
【請求項７】
データの記録を担う複数のセクタフィールドを備え、各セクタフィールドがデータＩＤエリア、データＩＤエラーコードエリア、ユーザデータエリアを有し、前記データＩＤエリアは識別情報エリアを有し、所定数のセクタフィールドの集まりによりブロックが定義された情報記録媒体に対して情報を記録する情報記録方法であって、
所定のセクタフィールドの前記ユーザデータエリアに対してエラー訂正コードが付与された第１の種別のデータを記録するとき、この所定のセクタフィールドの前記データＩＤエリアの前記識別情報エリアに第１の識別情報を記録し、この所定のセクタフィールドの前記ユーザデータエリアに対して交替記録が禁止され且つエラー訂正コードが付与された第２の種別のデータを記録するとき、この所定のセクタフィールドの前記データＩＤエリアの前記識別情報エリアに第２の識別情報を記録することを特徴とする情報記録方法。
【請求項８】
データの記録を担う複数のセクタフィールドを備え、各セクタフィールドがデータＩＤエリア、データＩＤエラーコードエリア、ユーザデータエリアを有し、前記データＩＤエリアは識別情報エリアを有し、所定数のセクタフィールドの集まりによりブロックが定義された情報記録媒体に対して情報を記録する情報記録方法であって、
所定のブロックに含まれる各セクタフィールドの前記ユーザデータエリアに対してエラー訂正コードが付与された第１の種別のデータを記録するとき、この所定のブロックに含まれる各セクタフィールドの前記データＩＤエリアの前記識別情報エリアに第１の識別情報を記録し、この所定のブロックに含まれる各セクタフィールドの前記ユーザデータエリアに対して交替記録が禁止され且つエラー訂正コードが付与された第２の種別のデータを記録するとき、この所定のブロックに含まれる各セクタフィールドの前記データＩＤエリアの前記識別情報エリアに第２の識別情報を記録することを特徴とする情報記録方法。
【発明の詳細な説明】
【０００１】
【発明の属する技術分野】
この発明は、データの記録を担う複数のセクタフィールドを備え、所定数のセクタフィールドの集まりによりブロックが定義された情報記録媒体、例えばＤＶＤ（Digital Video Disk）に関する。
【０００２】
また、この発明は、上記した情報記録媒体に対して情報を記録する情報記録装置及び情報記録方法に関する。
【０００３】
さらに、この発明は、上記した情報記録媒体に対する情報の記録及び再生を行う情報記録再生装置及び情報記録再生方法に関する。
【０００４】
【従来の技術】
近年、高密度記録を特徴とするＤＶＤのような情報記録媒体の研究開発が盛んに進められている。このような情報記録媒体には、データの記録を担う複数のセクタフィールドが設けられており、所定数のセクタフィールドの集まりによりＥＣＣ（Error Correction Code）ブロックが定義されている。
【０００５】
このような情報記録媒体に対して、ＥＣＣブロックに満たないデータの記録を行なう場合には、まず先に、記録先となる目的のセクタフィールドを含むＥＣＣブロックを読み込む。このとき、読み込まれたＥＣＣブロックデータのうちの、目的のセクタフィールドに相当する部分に目的のデータをパッチし、ＥＣＣブロックを再構成して、元のＥＣＣブロックに記録する。このような記録処理は、セクタフィールドの単位の記録であり、リードモディファイライトと称される。
【０００６】
このようなリードモディファイライトは、比較的長い時間がかかるため、リアルタイム性が追求されないＰＣデータの記録には適し、リアルタイム性が重要なＡＶデータの記録には適さない。リードモディファイライトを避けるためには、ＥＣＣブロックの単位でデータを記録するようにすればよい。
【０００７】
ＡＶデータを記録する際には、一般的に、フォーマットしてサーティファイにより初期欠陥を登録する初期欠陥管理は行なわれない。つまり、記録空間上に欠陥が残されたままの状態となる。ＡＶデータを記録する際には、記録先のセクタフィールドにおける多少のエラー（欠陥）は問題とされず、むしろ途切れずに記録動作が続けられることが重要だからである。
【０００８】
【発明が解決しようとする課題】
しかし、１枚の情報記録媒体において、ＰＣデータ及びＡＶデータを混在させる場合、特に、ＡＶデータ上にＰＣデータを上書きするような場合に、上記したように欠陥管理されていないことが原因で、リードモディファイライト時のエラー発生率が高くなるという問題点があった。つまり、リードモディファイライト時に、ＥＣＣブロックデータが読み出せなくなり、結果的に、このＥＣＣブロックを交替処理することもできず、リードモディファイライトを異常終了させるしかない状態に陥ることがあった。
【０００９】
この発明の目的は、上記したような事情に鑑み成されたものであって、下記の情報記録媒体、情報記録装置、情報記録再生装置、情報記録方法、及び情報記録再生方法を提供することにある。
【００１０】
（１）ＥＣＣブロックの単位で記録されたＡＶデータ上に、セクタフィールドの単位でＰＣデータを上書きするときのリードモディファイライト動作におけるエラー発生率を低減することが可能な情報記録媒体。
【００１１】
（２）ＥＣＣブロックの単位で記録されたＡＶデータ上に、セクタフィールドの単位でＰＣデータを上書きするときのリードモディファイライト動作におけるエラー発生率を低減することが可能な情報記録装置及び情報記録方法。
【００１２】
（３）ＥＣＣブロックの単位で記録されたＡＶデータ上に、セクタフィールドの単位でＰＣデータを上書きするときのリードモディファイライト動作におけるエラー発生率を低減することが可能な情報記録再生装置及び情報記録再生方法。
【００１３】
【課題を解決するための手段】
上記課題を解決し目的を達成するために、この発明の情報記録媒体、情報記録装置、情報記録再生装置、情報記録方法、及び情報記録再生方法は、以下のように構成されている。
【００１４】
（１）この発明は、データの記録を担う複数のセクタフィールドを備え、所定数のセクタフィールドの集まりによりブロックが定義された情報記録媒体であって、各セクタフィールドが、識別情報エリアを有し、前記識別情報エリアには、第１のレベルの信頼性でデータが記録されていることを示す第１の識別情報、及び前記第１のレベルの信頼性より低い第２のレベルの信頼性でデータが記録されていることを示す第２の識別情報のうちのどちらか一方の識別情報を格納する。
【００１５】
（２）この発明は、ユーザデータの記録を担うレコーディングフィールド、及びアドレスデータの記録を担うヘッダフィールドを含むセクタフィールドを備え、所定数のセクタフィールドの集まりによりブロックが定義された情報記録媒体であって、前記ブロックに対してＥＣＣブロックデータを記録するとき、前記ブロックに含まれる所定数のレコーディングフィールドに対して前記ＥＣＣブロックデータに基づき生成された所定数のセクタデータが一対一で対応して記録され、前記ＥＣＣブロックデータは、ブロックデータ、第１のエラー訂正コード、及び第２のエラー訂正コードを含み、前記ブロックデータは、第１の方向及びこの第１の方向に対して直交する第２の方向に沿って配置された所定データを含み、前記第１のエラー訂正コードは、前記第１の方向に沿って配置された前記所定データを訂正し、前記第２のエラー訂正コードは、前記第２の方向に沿って配置された前記所定データを訂正し、前記セクタデータは、所定数に分割された前記ブロックデータのうちの一部、このブロックデータの一部に対応した第１のエラー訂正コードの一部、及び所定数に分割された第２のエラー訂正コードの一部を含み、前記セクタフィールドに含まれたレコーディングフィールドが、前記第１及び第２のエラー訂正コードによるエラー訂正処理に関係なく独立して再生可能な識別情報エリアを有し、所定のブロックに含まれる各セクタフィールドの各識別情報エリアには、第１のレベルの信頼性でデータが記録されていることを示す第１の識別情報、及び前記第１のレベルの信頼性より低い第２のレベルの信頼性でデータが記録されていることを示す第２の識別情報のうちのどちらか一方の識別情報を一律に格納する。
【００１６】
（３）この発明は、データの記録を担う複数のセクタフィールドを備え、各セクタフィールドが識別情報エリアを有し、所定数のセクタフィールドの集まりによりブロックが定義された情報記録媒体に対して情報を記録する情報記録装置であって、前記情報記録媒体に対して第１のレベルの信頼性で情報を記録するとき、前記識別情報エリアに第１のレベルの信頼性でデータが記録されていることを示す第１の識別情報を記録し、前記情報記録媒体に対して第２のレベルの信頼性で情報を記録するとき、前記識別情報エリアに第２のレベルの信頼性でデータが記録されていることを示す第２の識別情報を記録する記録手段を備えている。
【００１７】
（４）この発明は、データの記録を担う複数のセクタフィールドを備え、各セクタフィールドが識別情報エリアを有し、所定数のセクタフィールドの集まりによりブロックが定義された情報記録媒体に対する情報の記録及び再生を行なう情報記録再生装置であって、所定のブロックに対して第１のレベルの信頼性で所望の情報を記録するとき、この所定のブロックに含まれる各セクタフィールドの各識別情報エリアに、第１のレベルの信頼性でデータが記録されていることを示す第１の識別情報を一律に記録し、所定のブロックに対して第２のレベルの信頼性で情報を記録するとき、この所定のブロックに含まれる各セクタフィールドの各識別情報エリアに、第２のレベルの信頼性でデータが記録されていることを示す第２の識別情報を一律に記録するブロック単位の記録処理手段と、所定のブロックに含まれる所定のセクタフィールドに対して第１又は第２レベルの信頼性で所望の情報を記録しようとするとき、この記録しようとする信頼性のレベル、及びこの所定のブロックに含まれるセクタフィールドの前記識別情報エリアから再生される識別情報から判明される信頼性のレベルに基づき、実際の記録の信頼性のレベルを第１及び第２のレベルのうちのどちらかのレベルに決定し、実際の記録の信頼性のレベルが第１のレベルの信頼性に決定したときは、所定のブロックに含まれる各セクタフィールドの各識別情報エリアに、前記第１の識別情報を一律に記録し、実際の記録の信頼性のレベルが第２のレベルの信頼性に決定したときは、所定のブロックに含まれる各セクタフィールドの各識別情報エリアに、前記第２の識別情報を一律に記録するセクタ単位の記録処理手段とを備えている。
【００１８】
（５）この発明の情報記録方法は、データの記録を担う複数のセクタフィールドを備え、各セクタフィールドが識別情報エリアを有し、所定数のセクタフィールドの集まりによりブロックが定義された情報記録媒体に対して、第１のレベルの信頼性で情報を記録するとき、前記識別情報エリアに第１のレベルの信頼性でデータが記録されていることを示す第１の識別情報を記録し、第２のレベルの信頼性で情報を記録するとき、前記識別情報エリアに第２のレベルの信頼性でデータが記録されていることを示す第２の識別情報を記録する。
【００１９】
（６）この発明の情報記録再生方法は、データの記録を担う複数のセクタフィールドを備え、各セクタフィールドが識別情報エリアを有し、所定数のセクタフィールドの集まりによりブロックが定義された情報記録媒体の所定のブロックに対して第１のレベルの信頼性で所望の情報を記録するとき、この所定のブロックに含まれる各セクタフィールドの各識別情報エリアに、第１のレベルの信頼性でデータが記録されていることを示す第１の識別情報を一律に記録し、所定のブロックに対して第２のレベルの信頼性で情報を記録するとき、この所定のブロックに含まれる各セクタフィールドの各識別情報エリアに、第２のレベルの信頼性でデータが記録されていることを示す第２の識別情報を一律に記録し、所定のブロックに含まれる所定のセクタフィールドに対して第１又は第２レベルの信頼性で所望の情報を記録しようとするとき、この記録しようとする信頼性のレベル、及びこの所定のブロックに含まれるセクタフィールドの前記識別情報エリアから再生される識別情報から判明される信頼性のレベルに基づき、実際の記録の信頼性のレベルを第１及び第２のレベルのうちのどちらかのレベルに決定し、実際の記録の信頼性のレベルが第１のレベルの信頼性に決定したときは、所定のブロックに含まれる各セクタフィールドの各識別情報エリアに、前記第１の識別情報を一律に記録し、実際の記録の信頼性のレベルが第２のレベルの信頼性に決定したときは、所定のブロックに含まれる各セクタフィールドの各識別情報エリアに、前記第２の識別情報を一律に記録する。
【００２０】
【発明の実施の形態】
以下、この発明の実施の形態について図面を参照して説明する。
【００２１】
最初に、図１を参照して、この発明に係る情報記録媒体としての光ディスク（ＤＶＤ−ＲＡＭディスク）の一例を説明する。
【００２２】
図１は、光ディスク上のリードインエリア、データエリア、及びリードアウトエリアなどの配置を示す図である。
【００２３】
図１に示すように、光ディスク１には、内周側から順に、リードインエリアＡ１、データエリアＡ２、及びリードアウトエリアＡ３が設けられている。リードインエリアＡ１には、エンボスデータゾーン、ミラーゾーン（無記録ゾーン）、及びリライタブルデータゾーンが設けられている。データエリアＡ２には、リライタブルデータゾーンが設けられており、このリライタブルデータゾーンには、複数のゾーン、ゾーン０〜ゾーンＮが設けられている。リードアウトエリアＡ３には、リライタブルデータゾーンが設けられている。
【００２４】
リードインエリアＡ１のエンボスデータゾーンには、光ディスク１の製造時に、リファレンスシグナルやコントロールデータがエンボス記録される。リードインエリアＡ１のリライタブルデータゾーンには、ディスクの種類を識別するための識別データ、及び欠陥エリアを管理するための欠陥管理データなどが記録されている。なお、この欠陥管理データが記録されるエリアを、欠陥管理エリア（ＤＭＡ：Defect Management Area）とする。リードアウトエリアＡ３のリライタブルデータゾーンには、リードインエリアＡ１のリライタブルデータゾーンに記録されたデータと同じデータが記録される。
【００２５】
リードインエリアＡ１に設けられたエンボスデータゾーンは、複数のトラックにより構成されており、各トラックは複数のセクタフィールドにより構成されている。また、このゾーンは、所定の回転速度で処理される。
【００２６】
リードインエリアＡ１に設けられたリライタブルデータゾーン及びデータエリアＡ２に設けられたリライタブルデータゾーンのゾーン０は、Ｘ個のトラックにより構成されており、各トラックはＹ個のセクタフィールドにより構成されている。また、このゾーンは、回転速度Ｚ０（Ｈｚ）で処理される。
【００２７】
データエリアＡ２に設けられたリライタブルデータゾーンのゾーン１は、Ｘ個のトラックにより構成されており、各トラックは（Ｙ＋１）個のセクタフィールドにより構成されている。また、このゾーンは、回転速度Ｚ１（Ｈｚ）で処理される（Ｚ０＞Ｚ１）。
【００２８】
データエリアＡ２に設けられたリライタブルデータゾーンのゾーン２は、Ｘ個のトラックにより構成されており、各トラックは（Ｙ＋２）個のセクタフィールドにより構成されている。また、このゾーンは、回転速度Ｚ２（Ｈｚ）で処理される（Ｚ１＞Ｚ２）。
【００２９】
以下、データエリアＡ２に設けられたリライタブルデータゾーンのゾーン３〜ゾーンＮは、夫々が、Ｘ個のトラックにより構成されている。そして、ゾーン３の各トラックは（Ｙ＋３）個のセクタフィールドにより構成されており、ゾーン４の各トラックは（Ｙ＋４）個のセクタフィールドにより構成されている。つまり、ゾーンＮの各トラックは（Ｙ＋Ｎ）個のセクタフィールドにより構成されている。また、ゾーン３は、回転速度Ｚ３（Ｈｚ）で処理され（Ｚ２＞Ｚ３）、ゾーン４は、回転速度Ｚ４（Ｈｚ）で処理される（Ｚ３＞Ｚ４）。つまり、ゾーンＮは、回転速度ＺＮ（Ｈｚ）で処理される（Ｚ（Ｎ−１）＞ＺＮ）。
【００３０】
リードアウトエリアＡ３に設けられたリライタブルデータゾーンは、複数のトラックにより構成されており、各トラックは（Ｙ＋Ｎ）個のセクタフィールドにより構成されている。また、このゾーンは、回転速度ＺＮ（Ｈｚ）で処理される。
【００３１】
上記説明したように、光ディスク１の内周側のゾーンから順に、１トラックあたりのセクタフィールド数が増加するようになっており、且つ回転速度が低下するようになっている。つまり、光ディスク１は、ＺＣＬＶ（Zone Constant Linear Velocity）方式が対象のディスクである。
【００３２】
続いて、図２〜図３を参照して、ＤＶＤ−ＲＡＭに記録されるデータの構造及びＤＶＤ−ＲＡＭから再生されるデータの構造について説明する。図２は、ＥＣＣブロックデータの構造を概略的に示す図である。図３は、レコーディングフィールドに記録されるセクタデータのデータ構造を概略的に示す図である。
【００３３】
ＤＶＤ−ＲＡＭの各ゾーンには、上記したように、データが記録されるトラックが形成されており、このトラックには所定単位のデータが記録されるセクタフィールドが複数形成されている。一つのセクタフィールドには、ヘッダフィールド、及びレコーディングフィールドが含まれる。ヘッダーフィールドには、アドレスなどのデータが事前にエンボス記録されており、レコーディングフィールドにはユーザデータが層変化記録される。また、ＤＶＤ−ＲＡＭには、ＥＣＣブロックデータと呼ばれるフォーマットのデータが記録されるようになっている。厳密に言うと、ＥＣＣブロックデータから生成される１６個のセクタデータが、１６個のセクタフィールドに分散記録されるようになっている。さらに言うと、一塊りのセクタデータは、セクタフィールド中のレコーディングフィールドに記録されるようになっている。
【００３４】
図２に示すように、ＥＣＣブロックデータは、データブロックＤＢ（ユーザデータを含む）、横方向のエラー訂正コードＥＣＣ１、及び縦方向のエラー訂正コードＥＣＣ２で構成されている。
【００３５】
データブロックＤＢは、所定数の行及び列に沿って配列されたデータにより構成されており、このデータブロックＤＢは１６個のデータユニットＤＵに分割することができる。さらに詳しく言うと、データブロックＤＢは、１７２（バイト数）×１２（データユニットを構成する行数）×１６（データブロックを構成するデータユニット数）のデータにより構成されている。データユニットＤＵは、１７２（バイト数）×１２（データユニットを構成する行数）のデータにより構成されており、このデータユニットＤＵには、データＩＤ、データＩＤエラー訂正コードＩＥＤ、ＣＰＲ＿ＭＡＩ、２０４８バイトのユーザデータ、エラー検出コードＥＤＣ等が含まれている。データＩＤは、データユニットＤＵに含まれるユーザデータのスクランブルに利用される。エラー検出コードＥＤＣは、データユニット内の一部のデータの集まりに含まれるエラーを検出するためのものである。
【００３６】
横方向のエラー訂正コードＥＣＣ１は、データブロックＤＢのうちの行方向（横方向）のデータに含まれるエラーを訂正するものである。さらに詳しく言うと、横方向のエラー訂正コードＥＣＣ１は、１０（バイト）×１２（データユニットＤＵを構成する行数）×１６（データブロックＤＢを構成するデータユニットＤＵの数）のデータにより構成されている。
【００３７】
縦方向のエラー訂正コードＥＣＣ２は、データブロックＤＢのうちの列方向（縦方向）のデータに含まれるエラーを訂正するものである。さらに詳しく言うと、縦方向のエラー訂正コードＥＣＣ２は、｛１７２（バイト）＋１０（バイト）｝×１６（データブロックＤＢを構成するデータユニットＤＵの数）のデータにより構成されている。
【００３８】
続いて、図３を参照して、セクタデータについて説明する。
【００３９】
一つのＥＣＣブロックデータから１６個のセクタデータが生成される。一つのセクタデータは、データユニットＤＵ、このデータユニットＤＵに対して付与されている横方向のエラー訂正コードＥＣＣ１の一部、及び縦方向のエラー訂正コードＥＣＣ２の一部により構成されている。さらに詳しく言うと、セクタデータは、｛１７２（バイト）＋１０（バイト）｝×１２（データユニットＤＵを構成する行数）＋１（縦方向のエラー訂正コードＥＣＣ２の１行分）のデータにより構成されている。
【００４０】
なお、上記したＥＣＣブロックデータのデータユニットＤＵに含まれるデータＩＤ及びデータＩＤエラー訂正コードＩＥＤは、ＥＣＣブロックに含まれる横方向のエラー訂正コードＥＣＣ１及び縦方向のエラー訂正コードＥＣＣ２によるエラー訂正が不能な場合でも、独立して読み出すことができるものである。
【００４１】
続いて、図４を参照して、データユニットについて説明する。
【００４２】
上記したようにデータユニットＤＵは、１７２（バイト数）×１２（データユニットを構成する行数）のデータにより構成されており、このデータユニットＤＵには、データＩＤ、データＩＤエラー訂正コードＩＥＤ、ＣＰＲ＿ＭＡＩ、２０４８バイトのユーザデータ、エラー検出コードＥＤＣ等が含まれている。さらに言うと、先頭行、つまり１行目には、４バイトのデータＩＤ、２バイトのデータＩＤエラー訂正コードＩＥＤ、６バイトのＣＰＲ＿ＭＡＩ、１６０バイトのユーザデータが含まれている。２行目から１１行目の各行には、１７２バイトのユーザデータが含まれている。そして、最終行、つまり１２行目には、１６８バイトのユーザデータ、及び４バイトのエラー検出コードＥＤＣが含まれている。
【００４３】
続いて、図５を参照して、データＩＤについて説明する。
【００４４】
データＩＤには、１バイトのセクタインフォメーション、及び３バイトのデータフィールドナンバーなどのデータが含まれている。さらに、セクタインフォメーションには、１ビットのセクタフォーマットタイプ、１ビットのトラッキング方法、１ビットの反射率、１ビットのインテグリティフラグ、２ビットのエリアタイプ、１ビットのデータタイプ、及び１ビットのレイヤーナンバーなどのデータが含まれている。インテグリティフラグが記録されるエリアをインテグリティフラグエリアと称する。
【００４５】
セクタフォーマットタイプにおいては、ビット０がＣＬＶフォーマットを示し、ビット１がゾーンフォーマットを示す。トラキング方法においては、ビット０がピットを示し、ビット１がグルーブを示す。反射率においては、ビット０が４０％未満を示し、ビット１が４０％以上を示す。インテグリティフラグエリアにおいては、ビット１（第１の識別情報）が第１のレベルの信頼性（高信頼性）を示し、ビット０（第２の識別情報）が第１のレベルの信頼性より低い第２のレベルの信頼性（低信頼性）を示す。エリアタイプにおいては、ビット００がデータを示し、ビット０１がリードイン示し、ビット１０がリードアウトを示し、ビット１１がミドルを示す。レイヤーナンバーにおいては、ビット０がレイヤー０を示し、ビット１がレイヤー１を示す。
【００４６】
ここで、上記した中のインテグリティフラグについて詳述する。インテグリティフラグエリアにインテグリティフラグとしてビット１が記録されている場合、このインテグリティフラグを含むセクタフィールドは第１のレベルの信頼性で記録されたブロックに含まれていることになる。例えば、図１０に示すように、ベリファイ付きで記録されるデータが第１のレベルの信頼性を有するものとする。このようなベリファイ付きで記録されるデータには、記録後の信頼性が高い、記録に時間がかかるという特徴がある。また、このようなベリファイ付きで記録されるデータとして、ＰＣデータなどが挙げられる。ベリファイ付きでデータが記録されるとき、記録先となるセクタフィールド、及びこのセクタフィールドと同一のブロックを構成する各セクタフィールドには、インテグリティフラグとしてビット１が記録される。
【００４７】
逆に、このインテグリティフラグエリアにインテグリティフラグとしてビット０が記録されている場合、このインテグリティフラグを含むセクタフィールドは第２のレベルの信頼性で記録されたブロックに含まれていることになる。例えば、図１０に示すように、ベリファイ無しで記録されるデータ、及び交替禁止で記録されるデータが第２のレベルの信頼性を有するものとする。このようなベリファイ無しで記録されるデータ、及び交替禁止で記録されるデータには、記録後の信頼性が低い、記録に時間がかからないという特徴がある。また、このようなベリファイ無しで記録されるデータ、及び交替禁止で記録されるデータには、ＡＶデータなどが挙げられる。ベリファイ無しでデータが記録されるとき、及び交替禁止でデータが記録されるとき、記録先となるセクタフィールド、及びこのセクタフィールドと同一のブロックを構成する各セクタフィールドには、インテグリティフラグとしてビット０が記録される。
【００４８】
図１１は、記録対象となるデータの信頼性レベルと記録先のブロックのインテグリティビットとの関係を示す図である。この図１１を参照して、以下、記録対象となるデータの信頼性レベルと記録先のブロックのインテグリティビットとの関係について説明する。
【００４９】
まず、ブロックライト、つまりブロックの単位でデータが記録されるケースについて説明する。
【００５０】
ホスト装置３からディスクドライブ２に対して高信頼記録モードによるブロックライトが指示されると、ディスクドライブ２が記録先の目的ブロックに対して高信頼記録モードによりデータを記録する。このとき、記録先の目的ブロックを構成する各セクタフィールドには、インテグリティフラグとしてビット１が記録される。
【００５１】
ホスト装置３からディスクドライブ２に対して低信頼記録モードによるブロックライトが指示されると、ディスクドライブ２が記録先の目的ブロックに対して低信頼記録モードによりデータを記録する。このとき、記録先の目的ブロックを構成する各セクタフィールドには、インテグリティフラグとしてビット０が記録される。
【００５２】
次に、リードモディファイライト、つまりセクタフィールドの単位でデータが記録されるケースについて説明する。
【００５３】
リードモディファイライトの場合、図１１に示すような４つのケースが想定される。第１のケースは、記録先の目的ブロックが低信頼性ブロックで、記録モードが高信頼性記録モードであるケース。第２のケースは、記録先の目的ブロックが高信頼性ブロックで、記録モードも高信頼性記録モードであるケース。第３のケースは、記録先の目的ブロックが低信頼性ブロックで、記録モードも低信頼性記録モードであるケース。第４のケースは、記録先の目的ブロックが高信頼性ブロックで、記録モードが低信頼性記録モードであるケース。高信頼性ブロックとは、インテグリティフラグとしてビット１が記録されたセクタフィールドの所定数の集まりにより構成されたブロックのことである。逆に、低信頼性ブロックとは、インテグリティフラグとしてビット０が記録されたセクタフィールドの所定数の集まりにより構成されたブロックのことである。
【００５４】
リードモディファイライトの場合、記録先の目的ブロックのインテグリティビットの状態により、ホスト装置３からディスクドライブ２に対して指示される記録モードと異なる記録モードがディスクドライブ２により実行されることがある。具体的に言うと、上記した第４のケースが該当する。
【００５５】
第４のケースでは、ホスト装置３からディスクドライブ２に対して低信頼性記録モード（例えばベリファイ無しのライト命令）が指示されるが、ディスクドライブ２では高信頼性記録モードが実行され（例えばライト後にベリファイが行なわれる）、記録先の目的ブロックに含まれる各セクタフィールドにインテグリティフラグとしてビット１が記録され、この目的ブロックのデータの信頼性が高いまま維持される（第１のレベルの信頼性が維持される）。
【００５６】
第１のケースでは、ホスト装置３からディスクドライブ２に対して高信頼性記録モードが指示され、ディスクドライブ２でもそのまま高信頼性記録モードが実行され、記録先の目的ブロックに含まれる各セクタフィールドにインテグリティフラグとしてビット１が記録され、この目的ブロックのデータの信頼性が変更される（第２のレベルの信頼性から第１のレベルの信頼性に変更）。
【００５７】
第２のケースでは、ホスト装置３からディスクドライブ２に対して高信頼性記録モードが指示され、ディスクドライブ２でもそのまま高信頼性記録モードが実行され、記録先の目的ブロックに含まれる各セクタフィールドにインテグリティフラグとしてビット１が記録され、この目的ブロックのデータの信頼性が高いまま維持される（第１のレベルの信頼性が維持される）。
【００５８】
第３のケースでは、ホスト装置３からディスクドライブ２に対して低信頼性記録モードが指示され、ディスクドライブ２でもそのまま低信頼性記録モードが実行され、記録先の目的ブロックに含まれる各セクタフィールドにインテグリティフラグとしてビット０が記録され、この目的ブロックのデータの信頼性が低いまま維持される（第２のレベルの信頼性が維持される）。
【００５９】
各セクタフィールド中のインテグリティフラグを参照することにより、このセクタフィールドに記録されたデータの信頼性が高いのか、或はこのセクタフィールドに記録されたデータの信頼性が低いのかが判断できる。また、このインテグリティフラグは、データＩＤの中に含まれているので、横方向のエラー訂正コードＥＣＣ１及び縦方向のエラー訂正コードＥＣＣ２によるエラー訂正が不能な場合でも、独立して読み出すことができる。さらに、このインテグリティフラグは、データＩＤの中に含まれているので、データＩＤエラー訂正コードＩＥＤにより、データの信頼性をチェックすることもできる。
【００６０】
あるブロックを読み出す場合、このブロックに含まれたエラー訂正コードによるエラー訂正が不可欠とされる。言い換えれば、エラー訂正できないブロックは読み出せない。しかし、上記したように、インテグリティフラグは、ブロックから独立して読み出すことができる。つまり、読み出せないブロックからでも、このブロックを構成するセクタフィールドに記録されたインテグリティビットは読み出すことができる。従って、読み出せないブロックでも、この読み出せないブロックを構成するセクタフィールドに記録されたインテグリティフラグを読み出すことにより、この読み出せないブロックが高信頼性ブロックなのか又は低信頼性ブロックなのかを判断することができる。
【００６１】
第１のケース及び第３のケースにおいて、記録先の目的ブロックが読み出せない場合、記録先の目的ブロックに含まれる目的セクタフィールドに目的のデータを記録し、他のセクタフィールドにはダミーデータを記録して、ＥＣＣブロックデータを再生成し、記録動作を実行する。つまり、低信頼性ブロックは、読み出せなくてもリードモディファイライトが可能となる。
【００６２】
第２のケース及び第４のケースにおいて、記録先の目的ブロックが読み出せない場合、システムエラーとなる。
【００６３】
続いて、図６を参照して、上記説明したＤＶＤ−ＲＡＭに対して各種データを記録したり、ＤＶＤ−ＲＡＭに記録された各種データを再生したりする光ディスク記録再生システムの概略構成を説明する。この各種データには、上記説明したインテグリティフラグ及びダミーデータ等も含まれる。つまり、ここで説明する光ディスク記録再生システムにより、上記説明したように光ディスクに対してインテグリティフラグ及びダミーデータが記録されたり、光ディスクに記録されたインテグリティフラグが再生されたりする。
【００６４】
図６に示すように、光ディスク記録再生システムは、ディスクドライブ２及びホスト装置３を備えている。ディスクドライブ２には、制御部２１、モータ２２、光学ヘッド２３、及び信号処理部２４が設けられている。
【００６５】
まず、このディスクドライブ２により、ホスト装置３から提供されるデータを光ディスク１に対して記録する記録処理について説明する。データの記録は、ホスト装置３から送信されるライトコマンドに基づき実行される。このライトコマンドについては後述する。モータ２２は、制御部２１の制御に従い、光ディスク１を所定の速度で回転駆動させる。ホスト装置３からライトコマンドに続けて提供されるデータは、信号処理部２４に提供される。信号処理部２４は、ホスト装置３から送信されたデータを変調して、記録用のデータを生成する。光学ヘッド２３には、図示しない半導体レーザが設けられており、この半導体レーザから記録用のデータが反映された記録用の光ビームが出射される。また、この光学ヘッド２３は、制御部２１によりトラッキング制御及びフォーカス制御を受ける。これにより、半導体レーザから出射される記録用の光ビームが、光ディスク１の所定位置に集光される。その結果、光ディスク１の所定位置に、記録用のデータが記録される。
【００６６】
続いて、ディスクドライブ２により、光ディスク１に記録されたデータを再生してホスト装置３に出力する再生処理について説明する。モータ２２が、制御部２１の制御に従い、光ディスク１を所定の速度で回転駆動させる。光学ヘッド２３に設けられた半導体レーザから再生用の光ビームが出射される。また、この光学ヘッド２３は、制御部１によりトラッキング制御及びフォーカス制御を受ける。これにより、半導体レーザから出射される再生用の光ビームが、光ディスク１の所定位置に集光される。この光ディスクに集光された再生用の光ビームの反射光には、光ディスクに記録されたデータが反映されている。そして、この反射光は、光学ヘッド２３に設けられた図示しないフォトディテクタにより検出される。フォトディテクタにより検出された反射光の検出結果は、反射光検出信号として信号処理部２４に提供される。信号処理部２４は、反射光検出信号に基づき、光ディスク１に記録されていたデータを生成する。さらに、この信号処理部２４は、生成されたデータを復調して再生データを生成し、ホスト装置３に出力する。
【００６７】
続いて、図７を参照して、ＰＣデータ及びＡＶデータの記録について説明する。
【００６８】
ＡＶデータの記録と通常データ（例えばＰＣデータ）の記録は、ホスト装置３側から送られるインターフェースコマンドにより区別される。つまり、ホスト装置３側からライトコマンドＡ（ＰＣデータの記録用コマンド）が送信されると、ディスクドライブ２（ディスクドライブ２の光学ヘッド２３）はデータ記録時に記録先のセクタフィールドのインテグリティフラグエリアに、インテグリティフラグとしてビット１（第１の識別情報）を記録する。このとき、記録先のセクタフィールドだけでなく、この記録先のセクタフィールドを含むＥＣＣブロックに含まれる全てのセクタフィールドに、インテグリティフラグとしてビット１が記録される。つまり、ライトコマンドＡは、上記した高信頼性記録モードを指示するコマンドであると言える。
【００６９】
ホスト装置３側からライトコマンドＢ（ＡＶデータの記録用コマンド）が送信されると、ディスクドライブ２（ディスクドライブ２の光学ヘッド２３）はデータ記録時に記録先のセクタフィールドのインテグリティフラグエリアに、インテグリティフラグとしてビット０（第２の識別情報）を記録する。このとき、記録先のセクタフィールドだけでなく、この記録先のセクタフィールドを含むＥＣＣブロックに含まれる全てのセクタフィールドに、インテグリティフラグとしてビット０が記録される。つまり、ライトコマンドＢは、上記した低信頼性記録モードを指示するコマンドであると言える。
【００７０】
図８は、上記した、ライトコマンドに基づくインテグリティフラグの記録を示すフローチャートである。
【００７１】
光ディスクに対して第１のレベルの信頼性でデータを記録するときには、ホスト装置３からライトコマンドＡが発行される。ディスクドライブ２側ではこのライトコマンドＡが受信され（ＳＴ１１、ＹＥＳ）、記録先のセクタフィールドのインテグリティフラグエリアにインテグリティフラグとしてビット１が記録され（ＳＴ１２）、その後、記録動作へ移行する（ＳＴ１３）。
【００７２】
逆に、光ディスクに対して第２のレベルの信頼性でデータを記録するときには、ホスト装置３からライトコマンドＢが発行される。ディスクドライブ２側ではこのライトコマンドＢが受信されると（ＳＴ１１、ＮＯ）、記録先のセクタフィールドのインテグリティフラグエリアにインテグリティフラグとしてビット０が記録され（ＳＴ１４）、その後、記録動作へ移行する（ＳＴ１３）。
【００７３】
図９は、図８のフローチャートにおける記録動作、特に、ＥＣＣブロックに満たないデータの記録動作を詳細に示すフローチャートである。
【００７４】
まず、記録先となる目的のセクタフィールドを含むＥＣＣブロックが読み込まれる（ＳＴ２１）。このＥＣＣブロックの読み込みが正常に行なえた場合（ＳＴ２２、ＹＥＳ）、読み込まれたＥＣＣブロックデータのうちの、目的のセクタフィールドに相当する部分に目的のデータをパッチし、ＥＣＣブロックを再構成して、元のＥＣＣブロックに記録する（ＳＴ２３）。この記録のときに、異常がなければ（ＳＴ２４、ＮＯ）、リードモディファイライトが完了したことになる。また、この後、ベリファイが要求される場合には（ＳＴ２５、ＹＥＳ）、ベリファイ動作へ移行する。
【００７５】
ベリファイ動作では、記録されたデータがチェックされ（ＳＴ２９）、正常に記録されていることが確認されれば（ＳＴ３０、ＹＥＳ）、一連の記録動作は正常終了となる。正常に記録されていることが確認されなければ（ＳＴ３０、ＮＯ）、所定のリトライ回数だけ、記録動作が繰り返される（ＳＴ３１、ＳＴ３３）。この記録動作のリトライにより、正常に記録されていることが確認されれば（ＳＴ３０、ＹＥＳ）、一連の記録動作は正常終了となる。記録動作を所定回数分だけリトライしても、正常に記録されていることが確認されなければ（ＳＴ３０、ＮＯ）（ＳＴ３１、ＹＥＳ）、交替処理へ移行する（ＳＴ３２）。つまり、ディスク上に予め設定されたスペアエリアを記録先とした記録動作が、ディスクドライブ２の制御部２１の制御に従い実行される。
【００７６】
ＳＴ２３の記録のときに、異常が発生した場合（ＳＴ２４、ＹＥＳ）、所定のリトライ回数だけ、記録動作が繰り返される（ＳＴ２６、ＳＴ２７）。記録動作を所定回数分だけリトライしても、記録のときに異常が発生する場合は（ＳＴ２７、ＹＥＳ）、交替処理へ移行する（ＳＴ２８）。つまり、ディスク上に予め設定されたスペアエリアを記録先とした記録動作が、ディスクドライブ２の制御部２１の制御に従い実行される。
【００７７】
記録先となる目的のセクタフィールドを含むＥＣＣブロックの読み込みにおいて（ＳＴ２１）、このＥＣＣブロックの読み込みが正常に行なえない場合（ＳＴ２２、ＮＯ）、つまり、このＥＣＣブロックに含まれるＥＣＣによりエラー訂正ができない場合には、まず、所定回数だけリトライが実行される。それでも、正常に読み込めない場合には（ＳＴ３４、ＹＥＳ）、記録先のインテグリティフラグエリアのインテグリティフラグが再生される（ＳＴ３５）。このインテグリティフラグは、データＩＤの中に含まれており、横方向のエラー訂正コードＥＣＣ１及び縦方向のエラー訂正コードＥＣＣ２によるエラー訂正が不能な場合でも、独立して読み出すことができる。さらに、このインテグリティフラグは、データＩＤの中に含まれているので、データＩＤエラー訂正コードＩＥＤにより、データの信頼性をチェックすることもできる。
【００７８】
インテグリティフラグとして、ビット１が再生された場合、このインテグリティフラグを含むセクタフィールドに記録されるデータの信頼性が高くなければならないことが判明する（ＳＴ３６、ＮＯ）。この場合、交替処理に移行することはできず、異常終了となる。逆に、インテグリティフラグとしてビット０が再生された場合、このインテグリティフラグを含むセクタフィールドに記録されるデータの信頼性は低くてもよいことが判明する（ＳＴ３６、ＹＥＳ）。この場合、後述する交替処理＃に移行する（ＳＴ３２）。つまり、ディスク上に予め設定されたスペアエリアの交替ブロックを記録先とした記録動作が、ディスクドライブ２の制御部２１の制御に従い実行される。
【００７９】
ここで、交替処理＃について説明する。この交替処理＃では、交替ブロックに含まれる目的セクタに対して所望のデータが記録され、交替ブロックに含まれる目的セクタ以外のセクタにはダミーデータが記録されることになる。
【００８０】
続いて、同一ＥＣＣブロックに属する所定数のセクタフィールドのインテグリティフラグエリアから異なる識別情報が再生されたときの処理について説明する。通常、同一のＥＣＣブロックに属する所定数のセクタフィールドの各インテグリティフラグエリアには、同一のインテグリティフラグが記録されることになっている。しかし、何等かの要因でフラグが正常に読み出されないことがあり、同一ＥＣＣブロックに属する所定数のセクタフィールドのインテグリティフラグエリアから異なる識別フラグが再生されてしまうことがある。
【００８１】
このような場合には、ディスクドライブ２の信号処理部２４により識別フラグの確からしさが判定される。この確からしさは、例えば、多数決により判定される。つまり、同一ＥＣＣブロックに属する所定数のセクタフィールドのインテグリティフラグエリアから読み出された識別フラグのうち、多く読み出された種類の識別フラグを正しい識別フラグとする。
【００８２】
以下、この発明の効果についてまとめる。
【００８３】
従来、欠陥管理無しで記録されたＡＶデータ上にＰＣデータを上書きするような場合に、欠陥管理されていないことが原因で、リードモディファイライト時のエラー発生率が高くなることがあった。つまり、リードモディファイライト時に、ＥＣＣブロックデータが読み出せなくなり（ＥＣＣブロックデータに含まれるエラー訂正コードによりエラー訂正できない状態になり）、結果的に、このＥＣＣブロックを交替処理することもできず、リードモディファイライトを異常終了させるしかない状態に陥ることがあった。
【００８４】
この発明では、このような問題を解決するために、ディスク上の各セクタフィールドに、エラー訂正コードによるエラー訂正処理に関係なく独立して再生可能な識別情報エリアを設けるようにした。この識別情報エリアには、第１のレベルの信頼性でデータが記録されていることを示す第１の識別情報、及び前記第１のレベルの信頼性より低い第２のレベルの信頼性でデータが記録されていることを示す第２の識別情報のうちのどちらか一方の識別情報を格納する。
【００８５】
これにより、リードモディファイライト時に、ＥＣＣブロックが正常に再生できなくなっても、つまりエラー訂正コードによりエラー訂正できなくなっても、識別情報エリアだけ再生できれば、少なくとも、第１のレベルの信頼性のデータなのか（高信頼性のデータなのか）、或は第２のレベルの信頼性のデータなのか（低信頼性のデータなのか）を知ることができる。仮に、第２のレベルの信頼性のデータであることが判明すれば、このＥＣＣブロックを、ディスク上に予め設けられたスペアエリアの交替ブロックに交替させて、上記したリードモディファイライト時の問題を解消することができる。
【００８６】
【発明の効果】
この発明によれば、下記の情報記録媒体、情報記録装置、情報記録再生装置、情報記録方法、及び情報記録再生方法を提供できる。
【００８７】
（１）ＥＣＣブロックの単位で記録されたＡＶデータ上に、セクタフィールドの単位でＰＣデータを上書きするときのリードモディファイライト動作におけるエラー発生率を低減することが可能な情報記録媒体。
【００８８】
（２）ＥＣＣブロックの単位で記録されたＡＶデータ上に、セクタフィールドの単位でＰＣデータを上書きするときのリードモディファイライト動作におけるエラー発生率を低減することが可能な情報記録装置及び情報記録方法。
【００８９】
（３）ＥＣＣブロックの単位で記録されたＡＶデータ上に、セクタフィールドの単位でＰＣデータを上書きするときのリードモディファイライト動作におけるエラー発生率を低減することが可能な情報記録再生装置及び情報記録再生方法。
【図面の簡単な説明】
【図１】光ディスク上のリードインエリア、データエリア、及びリードアウトエリアなどの配置を示す図である。
【図２】図１に示す光ディスクに記録されるＥＣＣブロックデータの構造を概略的に示す図である。
【図３】図２に示すＥＣＣブロックデータから生成されるセクタデータのデータ構造を概略的に示す図である。
【図４】図３に示すセクタデータに含まれるデータユニットのデータ構造を概略的に示す図である。
【図５】図４に示すデータユニットに含まれるデータＩＤのデータ構造を概略的に示す図である。
【図６】この発明に係る光ディスク記録再生システムの概略構成を示す図である。
【図７】ＰＣデータ及びＡＶデータをライトコマンドにより区別して記録する様子を示す図である。
【図８】ライトコマンドに基づきインテグリティフラグが記録される処理を示すフローチャートである。
【図９】図８に示すフローチャートにおける記録動作、特に、ＥＣＣブロックに満たないデータの記録動作を詳細に示すフローチャートである。
【図１０】第１のレベルの信頼性を有するデータ、及び第２のレベルの信頼性を有するデータに関する事項を一覧にまとめた図である。
【図１１】記録対象となるデータの信頼性レベルと記録先のブロックのインテグリティビットとの関係を示す図である。
【符号の説明】
１…光ディスク
２…ディスクドライブ
２１…制御部
２２…モータ
２３…光学ヘッド
２４…信号処理部
３…ホスト装置
【図１】
0003735498.tif 000002
【図２】
0003735498.tif 000003
【図３】
0003735498.tif 000004
【図４】
0003735498.tif 000005
【図５】
0003735498.tif 000006
【図６】
0003735498.tif 000007
【図７】
0003735498.tif 000008
【図８】
0003735498.tif 000009
【図９】
0003735498.tif 000010
【図１０】
0003735498.tif 000011
【図１１】
0003735498.tif 000012